(57)【特許請求の範囲】
【請求項１】
長尺状の常用点灯用光源と、常用電源ユニットとを有する常用点灯用の構成部品を備えた常用の第１の照明器具と；
非常用点灯用の非常用光源と、非常用電源と、非常用点灯ユニットとを有する非常用点灯用の構成部品を備えた非常用の第２の照明器具と；
を具備し；
前記第１の照明器具と前記第２の照明器具とを共通の器具本体に隣接配置し；
前記第２の照明器具は、前記非常用点灯ユニットのユニット基板と、放熱板と、を具備し；
前記非常用光源が前記放熱板に配置され、かつ前記非常用光源はレンズが固定部材を介して前記放熱板に固定されるとともに、前記放熱板の下に前記非常用電源が配置され、前記ユニット基板が前記第１の照明器具よりも前記第２の照明器具側であるとともに前記非常用光源よりも下側に配置されることを特徴とする非常灯組み込み形照明器具。
【請求項２】
前記器具本体は、前記第１の照明器具における前記常用電源ユニットを収容する収容部を有し、前記収容部の一端部に前記第２の照明器具を収容する第２の照明器具収容部を設け；
前記第２の照明器具収容部に前記第２の照明器具を収容したことを特徴とする請求項１に記載の非常灯組み込み形照明器具。
【請求項３】
前記第２の照明器具は、前記非常用点灯ユニットの上に前記非常用電源を配置し；
さらに前記非常用電源の上に前記非常用光源を配置したことを特徴とする請求項１又は２に記載の非常灯組み込み形照明器具。
【請求項４】
前記非常用点灯ユニットは、矩形状の基板本体の一端側の両側を切欠させた幅狭部分と前記基板本体の両側の切欠部が形成されていない幅広部分とを含むＴ字状の基板形状を有し；
前記基板本体は、前記幅広部分の一側部に入力側の１次側回路を配置し、前記幅広部分の他側部に出力側の２次側回路を配置し；
前記１次側回路を配置した側の前記基板本体の前記切欠部に前記１次側回路に接続させる１次側配線を配置し、前記２次側回路を配置した側の前記基板本体の前記切欠部に前記２次側回路に接続させる２次側配線を配置したことを特徴とする請求項１ないし３いずれか一記載の非常灯組み込み形照明器具。
【請求項５】
前記基板本体は、前記幅広部分の前記１次側回路と前記２次側回路との間にトランス回路を配置し、前記幅狭部分に前記非常用点灯ユニットを制御する制御回路を配置したことを特徴とする請求項４に記載の非常灯組み込み形照明器具。
【請求項６】
前記第２の照明器具は、前記非常用点灯用の構成部品を収容するカバー部材を有し；
前記カバー部材の一端部は、前記第１の照明器具の前記ケース部材の側板部に着脱可能に係止される係止部を有し；
前記カバー部材の他端部は、前記第２の照明器具に着脱可能にねじ固定される固定部を有することを特徴とする請求項１ないし５いずれか一記載の非常灯組み込み形照明器具。
【発明の詳細な説明】
【技術分野】
【０００１】
本発明の実施形態は、非常灯組み込み形照明器具に関する。
【背景技術】
【０００２】
例えば住宅や、商業施設、工場等の天井面に直接取り付けられる従来の照明器具の一例として、常用点灯用光源を有する照明器具の器具本体内に非常灯を組み込んだ非常灯組み込み形照明器具が開発されている。この非常灯組み込み形照明器具は、通常時は商用電源のような外部電源の電力を用いて光源を点灯させ、外部電源からの給電が停止した非常時には、内蔵した蓄電池の電力を用いて光源を点灯させる構成になっている。
【０００３】
従来の非常灯組み込み形照明器具は、常用点灯用の構成部品を備えた常用の照明器具のケース内に非常用点灯用の構成部品を配置する構成であった。この場合は、常用の照明器具の大きさを変えることなく、常用の照明器具の器具本体内に非常灯を組み込むことができ、非常灯組み込み形照明器具を小型化することができる。
【先行技術文献】
【特許文献】
【０００４】
【特許文献１】特開２０１３−１２７９１７号公報
【発明の概要】
【発明が解決しようとする課題】
【０００５】
前述した従来の構造の非常灯組み込み形照明器具の場合、照明器具の器具形状や、器具長さの異なる機種など多品種の機種をバリエーション展開をする際に新規の機種毎に部品の配置などの設計変更が必要となる。そのため、多品種の機種を共通のシリーズとして展開する展開性に課題があった。また、常用の照明器具のケース内に非常用点灯用の構成部品を配置する場合、非常用点灯用の構成部分が大きくなるため、常用の照明器具のケース内の内部スペースが制約される課題があった。
【課題を解決するための手段】
【０００６】
実施形態の非常灯組み込み形照明器具は、長尺状の常用の第１の照明器具と、非常用の第２の照明器具と、を具備する。第１の照明器具は、常用点灯用光源と、常用電源ユニットとを有する常用点灯用の構成部品を備える。非常用の第２の照明器具は、非常用点灯用の非常用光源と、蓄電池と、非常用点灯ユニットとを有する非常用点灯用の構成部品を備える。前記第１の照明器具と前記第２の照明器具とを共通の器具本体に隣接配置した。さらに、前記第２の照明器具は、前記非常用点灯ユニットのユニット基板と、放熱板と、を具備する。前記非常用光源が前記放熱板に配置され、かつ前記非常用光源はレンズが固定部材を介して前記放熱板に固定されるとともに、前記放熱板の下に前記非常用電源が配置され、前記ユニット基板が前記第１の照明器具よりも前記第２の照明器具側であるとともに前記非常用光源よりも下側に配置される。
【発明の効果】
【０００７】
請求項１は、常用構成部分に隣接して非常点灯用部分を配置させることで、バリエーションの違いによる設計の制約をなくすことが期待できる。
【０００８】
請求項２は、常用点灯用の構成部品を収容するケース部材の一端部に第２の照明器具を収容する第２の照明器具収容部を設け、第２の照明器具を収容することで、第２の照明器具の組み付けを簡易化することが期待できる。
【０００９】
請求項３は、請求項１の構成における非常灯部分を常用光源部と同断面、且つ小型化を実現する際に好適な部品配置である。
【００１０】
請求項４、５は、請求項１の小型化を実現する際に電線を蓄電池下部から配線することが可能となり、配線構造を簡易化することが期待できる。さらに、１次・２次側回路部品の配置が分かれることによって、それぞれが干渉することを防ぐことによってノイズの発生や誤動作を防ぐことが期待できる。
【００１１】
請求項６は、請求項１の構成における非常灯部分の組み付け作業性を高めることが期待できる。
【図面の簡単な説明】
【００１２】
【図１】図１は、第１の実施形態の非常灯組み込み形照明器具の全体の外観を示す斜視図である。
【図２】図２は、第１の実施形態の非常灯組み込み形照明器具の第２の照明器具の取付け状態を示す要部の斜視図である。
【図３】図３は、第１の実施形態の非常灯組み込み形照明器具の第２の照明器具の取付け状態を示す側面図である。
【図４】図４は、第１の実施形態の非常灯組み込み形照明器具における第２の照明器具の内部構造を示す縦断面図である。
【図５】図５は、第１の実施形態の非常灯組み込み形照明器具の第２の照明器具の分解斜視図である。
【図６】図６は、第１の実施形態の非常灯組み込み形照明器具における第２の照明器具のカバー部材の取付け状態を示す要部の斜視図である。
【図７】図７は、第１の実施形態の非常灯組み込み形照明器具における第１の照明器具のケース部材から第２の照明器具を取り外した状態を示す分解斜視図である。
【図８】図８は、第１の実施形態の非常灯組み込み形照明器具における第２の照明器具のカバー部材を示す要部の斜視図である。
【図９】図９は、第１の実施形態の非常灯組み込み形照明器具における第２の照明器具の取付け状態を示す斜視図である。
【図１０】図１０は、第１の実施形態の非常灯組み込み形照明器具における非常用点灯ユニットの電源ユニット基板の取り外し状態を示す要部の斜視図である。
【図１１】図１１は、第１の実施形態の非常灯組み込み形照明器具における第２の照明器具の電源ユニット基板の概略構成を示す平面図である。
【発明を実施するための形態】
【００１３】
図１乃至図１１は、第１の実施の形態を示す。図１は、例えば住宅や、商業施設、工場等の天井面に直接取り付けられる第１の実施の形態の非常灯組み込み形照明器具１００の全体の外観を示す斜視図である。本実施形態の非常灯組み込み形照明器具１００は、常用の第１の照明器具１と、非常用の第２の照明器具２と、を具備する。
【００１４】
本実施形態の非常灯組み込み形照明器具１００の第１の照明器具１は、図１に示すように、常用点灯用光源としての直管形のＬＥＤバー３と、ＬＥＤバー３を保持する器具本体４とを備える。さらに、第１の照明器具１は、通常時にＬＥＤバー３を点灯させる図示しない常用電源ユニットと、常用電源ユニットを外部電源に接続する図示しない電源端子台とを有する常用点灯用の構成部品を備える。ＬＥＤバー３は、複数種類の機種が予め準備されており、適宜選択的に使用可能になっている。
【００１５】
第１の照明器具１の器具本体４は、図１に示すように、長方形状であって、器具本体４の長手方向の各一端部にはＬＥＤバー３を取り付ける図示しないソケットがそれぞれ配置されている。これらのソケットにはＬＥＤバー３の両端の口金部がそれぞれ着脱可能に結合されている。また、ソケットからＬＥＤバー３に電力が供給され、常用電源ユニットを介して通常時にＬＥＤバー３を点灯させる。器具本体４も複数種類の機種が予め準備されており、適宜選択的に使用可能になっている。ＬＥＤバー３と器具本体４との組み合わせも任意に選択可能になっている。
【００１６】
第１の照明器具１の器具本体４には、図２に示すように常用点灯用の構成部品を収容するケース部材５の一端部（図１中で器具本体１の長手方向の右端部）に第２の照明器具２を収容する第２の照明器具収容部６を設けている。本実施形態では、図６および図７に示すように第１の照明器具１のケース部材５の長さをそのまま所定の距離だけ延長し、ケース部材５の一端部側の延長部分に第２の照明器具収容部６を形成したものである。第２の照明器具収容部６内に第２の照明器具２を収容することで、第１の照明器具１と第２の照明器具２とを隣接配置している。
【００１７】
図３は、第２の照明器具２の取付け状態を示す側面図、図４は、第２の照明器具２の内部構造を示す縦断面図、図５は、第２の照明器具２の分解斜視図である。なお、図３は、本実施形態の非常灯組み込み形照明器具１００を天井面に取り付けた状態を示している。また、図４は、第２の照明器具２を図３とは上下を逆向きに配置した状態を示している。
【００１８】
第２の照明器具２は、ＬＥＤ非常灯（非常用点灯用の非常用光源）７と、ＬＥＤ非常灯７を保持する非常灯器具本体８とを備える。ＬＥＤ非常灯７は、図５に示すように多数のＬＥＤチップを基板に直接実装した構造のチップオンボードであるＣＯＢ基板９と、レンズ１０と、パッキン１１と、レンズ固定金具１２とを備える。
【００１９】
非常灯器具本体８は、非常用電源の一例である蓄電池１３と、非常用点灯ユニット１４とを有する非常用点灯用の構成部品を備える。非常用点灯ユニット１４は、図５に示すようにシャーシ１５と、ユニット樹脂ケース１６と、ユニット基板１７と、サブ基板１８と、光源放熱板を兼ねる電池収納用板金部品１９と、を具備する。サブ基板１８は、例えば赤・緑モニターや、点検ＳＷリモコン受光部の実装基板である。
【００２０】
シャーシ１５は、図５中で下面に配置される底板１５ａと、この底板１５ａの両側に配置される２つの側板１５ｂ、１５ｃとを有する。シャーシ１５の一方の側板１５ｃの上端部には、内側に向けて直角に折り曲げた折り曲げ部１５ｂ１が形成されている。この折り曲げ部１５ｂ１には、ねじ穴１５ｂ２が形成されている。シャーシ１５の他方の側板１５ｃの上端部には、内側に向けて直角に折り曲げた幅広の折り曲げ部１５ｃ１が形成されている。この折り曲げ部１５ｃ１には、２つのねじ穴１５ｃ２と、電池収納用板金部品１９との位置決め用の角穴１５ｃ３とが形成されている。
【００２１】
ユニット樹脂ケース１６は、シャーシ１５上に配置される。このユニット樹脂ケース１６は、上面側に蓄電池１３を保持する電池受部１６ａと、電池受部１６ａよりも高さが高く立設された立設部１６ｂとを有する。図４に示すように電池受部１６ａと、立設部１６ｂとの間の境界部分には、電池受部１６ａの上に装着される蓄電池１３の角部の形状に合わせた湾曲面１６ａ１が形成されている。電池受部１６ａの下方にはシャーシ１５の底板１５ａとの間に適宜のスペースＳが形成されている。このスペースＳには、ユニット基板１７の前端部分が挿入状態で装着されている。立設部１６ｂの上部には、サブ基板１８を保持する基板保持部１６ｃが形成されている。
【００２２】
図４に示すようにユニット樹脂ケース１６の下部には、ユニット基板１７が装着されている。このユニット樹脂ケース１６の立設部１６ｂの基板保持部１６ｃには、サブ基板１８が装着されている。
【００２３】
ユニット基板１７は、図１１に示すように矩形状の基板本体１７ａの一端側の両側を切欠させた切欠部１７ｂ１、１７ｂ２を有する幅狭部分１７ｂと、基板本体１７ａの両側の切欠部１７ｂ１、１７ｂ２が形成されていない幅広部分１７ｃとを含むＴ字状の基板形状を有する。基板本体１７ａは、幅広部分１７ｃの一側部に入力側の１次側回路２０ａを配置し、幅広部分１７ｃの他側部に出力側の２次側回路２０ｂを配置している。さらに、基板本体１７ａには、幅広部分１７ｃにおける１次側回路２０ａを配置した側の切欠部１７ｂ１との対向部に、１次側回路２０ａに接続させた第１コネクタ２１ａを配設している。この第１コネクタ２１ａには、入力側のＡＣ電源に接続される１次側配線を接続している。また、幅広部分１７ｃにおける２次側回路２０ｂを配置した側の切欠部１７ｂ２との対向部に、２次側回路２０ｂに接続させた第２コネクタ２１ｂを配設している。この第２コネクタ２１ｂには、２次側回路２０ｂ側の充電回路や、非常灯点灯回路などに接続される２次側配線を配置している。
【００２４】
さらに、ユニット基板１７には、幅広部分１７ｃの１次側回路２０ａと２次側回路２０ｂとの間にトランス回路２０ｃを配置している。幅狭部分１７ｂには、非常用点灯ユニット１４を制御する制御回路２０ｄを配置した。
【００２５】
図９に示すようにシャーシ１５の底板１５ａと、ユニット樹脂ケース１６の電池受部１６ａとの間には、ユニット基板１７に接続される配線を収容する左右一対の配線収容部２２ａ、２２ｂ（図１０参照）が形成されている。一方の配線収容部２２ａには、第１コネクタ２１ａに接続される１次側配線２３ａが収容されている。他方の配線収容部２２ｂには、第２コネクタ２１ｂに接続される２次側配線２３ｂが収容されている。
【００２６】
電池収納用板金部品１９は、シャーシ１５の２つの側板１５ｂ、１５ｃの上端部にそれぞれねじ止め固定される。この電池収納用板金部品１９の上には、ＬＥＤ非常灯７のＣＯＢ基板９が熱伝導性の高いグリースを介して装着される。さらに、ＣＯＢ基板９の上にレンズ１０と、パッキン１１と、レンズ固定金具１２とが順次積層された状態で、ねじ２４によってレンズ固定金具１２が電池収納用板金部品１９とともにシャーシ１５に共締め固定される。これにより、ＬＥＤ非常灯７の光源ユニット全体が一体的に組み付けられる。
【００２７】
さらに、電池収納用板金部品１９の板面には、下向きに３つのガイド片２５が形成されている。このガイド片２５は、電池収納用板金部品１９の板面に形成されたＵ字状の切り込み部分を下向きに切り起こして形成されている。１つのガイド片２５は、シャーシ１５の一方の側板１５ｃの上端部の角穴１５ｃ３に挿入され、電池収納用板金部品１９とシャーシ１５との位置決め用に使用される。
【００２８】
電池収納用板金部品１９とユニット樹脂ケース１６の電池受部１６ａとの間には蓄電池１３を収納する電池収納部３１が形成されている。蓄電池１３は、この電池収納部３１に第１の照明器具１側から挿入される。このとき、電池収納用板金部品１９のガイド片２５によって蓄電池１３がガイドされ、蓄電池１３が電池収納用板金部品１９の固定ねじに当たることが防止されている。そして、ＬＥＤ非常灯７の光源ユニットから発生する熱や、蓄電池１３の熱を電池収納用板金部品１９によって効率よく放熱することができる。
【００２９】
さらに、第２の照明器具２は、非常用点灯用の構成部品を収容するほぼ矩形箱型のカバー部材２６を有する。このカバー部材２６は、平面状の化粧板２６ａの長手方向の前端側（図６、図８中で左端部）の第１端板２６ｂと、後端側（図６、図８中で右端部）の第２端板２６ｃと、両側に配置された２つの側板２６ｄ１、２６ｄ２とを有する。
【００３０】
図６に示すようにカバー部材２６の後端部の第２端板２６ｃは、第１の照明器具１のケース部材５の逆富士型の側板部２７に着脱可能に係止される係止部２８を有する。この係止部２８は、例えば第２端板２６ｃの下端部を外向きにＬ字状に屈曲させた屈曲部２８ａによって形成されている。カバー部材２６の第１端板２６ｂは、第２の照明器具２の非常灯器具本体８に着脱可能にねじ固定される固定部２９を有する。この固定部２９は、第１端板２６ｂの下端部を外向きにＬ字状に屈曲させた屈曲部２９ａにねじ穴２９ｂを設けて形成されている。
【００３１】
そして、カバー部材２６は、第１の照明器具１のケース部材５の逆富士型の側板部２７に第２端板２６ｃの係止部２８を引っ掛けた状態で、第２端板２６ｃが非常灯器具本体８に雄ねじ３０によってネジ固定されることで固定される。なお、図８中で、参照符号３２は、ネジ落下防止スペーサーである。
【００３２】
上記構成の本実施形態の非常灯組み込み形照明器具１００は、常用の第１の照明器具１と、非常用の第２の照明器具２と、を隣接配置した。これにより、多品種の機種をバリエーション展開をする際に新規の機種毎に非常用の第２の照明器具２の部品の配置などの設計変更が不要となる。そのため、バリエーションの違いによる設計の制約をなくすことが期待でき、器具形状、器具長さの異なるバリエーション展開に有利である。
【００３３】
また、常用点灯用の第１の照明器具１の構成部品を収容するケース部材５の一端部に第２の照明器具２を収容する第２の照明器具収容部６を設け、第２の照明器具２を収容することで、第２の照明器具２の組み付けを簡易化することが期待できる。
【００３４】
第２の照明器具２は、図４に示すように非常用点灯ユニット１４の上に非常用電源である蓄電池１３を配置し、蓄電池１３の上にＬＥＤ非常灯７を配置している。そのため、第２の照明器具２の全体の大きさの小型化を実現する際に好適な部品配置にすることができる。これにより、図３に示すように第２の照明器具２の幅寸法Ｘを第１の照明器具１の幅寸法Ｘと同じ大きさに小型化することができる。同様に、第２の照明器具２の高さ寸法Ｙを第１の照明器具１の幅寸法Ｙと同じ大きさに小型化することができる。
【００３５】
第２の照明器具２のユニット基板１７は、図１１に示すように幅狭部分１７ｂと、幅広部分１７ｃとを含むＴ字状の基板形状を有する。そして、幅広部分１７ｃの一側部に入力側の１次側回路２０ａを配置し、幅広部分１７ｃの他側部に出力側の２次側回路２０ｂを配置している。これにより、１次側回路２０ａと２次側回路２０ｂとをユニット基板１７の上で分けることができる。そして、１次側回路２０ａの配線と、２次側回路２０ｂの配線とはそれぞれ部品が実装されていない場所を通るため、１次側回路２０ａと２次側回路２０ｂとの間の部品干渉や、発熱の影響や、配線を介して予期せぬノイズが発生することを防ぐことが可能である。
【００３６】
第２の照明器具２のユニット基板１７をＴ字形状にすることで、幅狭部分１７ｂの両端の空いた空間に１次側回路２０ａ側の配線２３ａと、２次側回路２０ｂ側の配線２３ｂとが通る構造にしている。さらに、シャーシ１５の底板１５ａと、ユニット樹脂ケース１６の電池受部１６ａとの間に左右一対の配線収容部２２ａ、２２ｂを形成し、配線収容部２２ａには、１次側配線２３ａが収容され、配線収容部２２ｂには、２次側配線２３ｂが収容されている。これにより、シンプルな配線仕様とすることができる。
【００３７】
また、ユニット基板１７には、幅広部分１７ｃの１次側回路２０ａと２次側回路２０ｂとの間にトランス回路２０ｃを配置し、幅狭部分１７ｂには、非常用点灯ユニット１４を制御する制御回路２０ｄを配置している。これにより、高さが高い部品が多い１次側回路２０ａと、２次側回路２０ｂと、トランス回路２０ｃとを幅広部分１７ｃに集中的に配置することができるので、高さが低い部品が多い制御回路２０ｄを配置した幅狭部分１７ｂのみを蓄電池１３と上下方向に重なる位置に配置することができる。そのため、第２の照明器具２の全体の大きさの小型化を実現する際に好適な部品配置にすることができる。
【００３８】
さらに、制御回路２０ｄを他の部品（１次側回路２０ａと、２次側回路２０ｂと、トランス回路２０ｃと）に干渉されないように配置することが可能であるため、自動点検や、リモコン操作による誤動作も防ぐことができる。
【００３９】
上記実施形態によれば、常用構成部分に隣接して非常点灯用部分を配置させることで、バリエーションの違いによる設計の制約をなくすことが期待できる非常灯組み込み形照明器具を提供することができる。
【００４０】
本発明の実施形態を説明したが、この実施形態は、例として提示したものであり、発明の範囲を限定することは意図していない。例えば、第１の照明器具は、常用電源ユニットが常用点灯光源の上面にセットされた電源一体形光源モジュールでもよい。また、収容部の態様は、光源ユニット側に設けられた点灯装置が、光源ユニットが器具本体に取付けられることで収容部内に位置（収容）するように設けられる形態も含む。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。  
以下に、本願出願の当初の特許請求の範囲に記載された発明を付記する。 
［１］長尺状の常用点灯用光源と、常用電源ユニットとを有する常用点灯用の構成部品を備えた常用の第１の照明器具と；非常用点灯用の非常用光源と、非常用電源と、非常用点灯ユニットとを有する非常用点灯用の構成部品を備えた非常用の第２の照明器具と；を具備し；前記第１の照明器具と前記第２の照明器具とを共通の器具本体に隣接配置したことを特徴とする非常灯組み込み形照明器具。 
［２］前記器具本体は、前記第１の照明器具における前記常用電源ユニットを収容する収容部を有し、前記収容部の一端部に前記第２の照明器具を収容する第２の照明器具収容部を設け；前記第２の照明器具収容部に前記第２の照明器具を収容したことを特徴とする［１］に記載の非常灯組み込み形照明器具。 
［３］前記第２の照明器具は、前記非常用点灯ユニットの上に前記非常用電源を配置し；さらに前記非常用電源の上に前記非常用光源を配置したことを特徴とする［１］又は［２］に記載の非常灯組み込み形照明器具。 
［４］前記非常用点灯ユニットは、矩形状の基板本体の一端側の両側を切欠させた幅狭部分と前記基板本体の両側の切欠部が形成されていない幅広部分とを含むＴ字状の基板形状を有し；前記基板本体は、前記幅広部分の一側部に入力側の１次側回路を配置し、前記幅広部分の他側部に出力側の２次側回路を配置し；前記１次側回路を配置した側の前記基板本体の前記切欠部に前記１次側回路に接続させる１次側配線を配置し、前記２次側回路を配置した側の前記基板本体の前記切欠部に前記２次側回路に接続させる２次側配線を配置したことを特徴とする［１］ないし［３］いずれか一記載の非常灯組み込み形照明器具。 
［５］前記基板本体は、前記幅広部分の前記１次側回路と前記２次側回路との間にトランス回路を配置し、前記幅狭部分に前記非常用点灯ユニットを制御する制御回路を配置したことを特徴とする［４］に記載の非常灯組み込み形照明器具。 
［６］前記第２の照明器具は、前記非常用点灯用の構成部品を収容するカバー部材を有し；前記カバー部材の一端部は、前記第１の照明器具の前記ケース部材の側板部に着脱可能に係止される係止部を有し；前記カバー部材の他端部は、前記第２の照明器具に着脱可能にねじ固定される固定部を有することを特徴とする［１］ないし［５］いずれか一記載の非常灯組み込み形照明器具。
【符号の説明】
【００４１】
１…第１の照明器具、２…第２の照明器具、３…ＬＥＤバー、４…器具本体、５…ケース部材、６…照明器具収容部、７…ＬＥＤ非常灯、８…非常灯器具本体、９…ＣＯＢ基板、１０…レンズ、１１…パッキン、１２…レンズ固定金具、１３…蓄電池、１４…非常用点灯ユニット、１５…シャーシ、１５ａ…底板、１５ｂ…側板、１５ｂ１…折り曲げ部、１５ｂ２…ねじ穴、１５ｃ…側板、１５ｃ１…折り曲げ部、１５ｃ２…ねじ穴、１５ｃ３…角穴、１６…ユニット樹脂ケース、１６ａ…電池受部、１６ａ１…湾曲面、１６ｂ…立設部、１６ｃ…基板保持部、１７…ユニット基板、１７ａ…基板本体、１７ｂ…幅狭部分、１７ｂ１…切欠部、１７ｂ２…切欠部、１７ｃ…幅広部分、１８…サブ基板、１９…電池収納用板金部品、２０ａ…１次側回路、２０ｂ…２次側回路、２０ｃ…トランス回路、２０ｄ…制御回路、２１ａ…第１コネクタ、２１ｂ…第２コネクタ、２２ａ…配線収容部、２２ｂ…配線収容部、２３ａ…１次側配線、２３ｂ…２次側配線、２４…ねじ、２５…ガイド片、２６…カバー部材、２６ａ…化粧板、２６ｂ…端板、２６ｃ…端板、２６ｄ１…側板、２６ｄ２…側板、２７…側板部、２８…係止部、２８ａ…屈曲部、２９…固定部、２９ａ…屈曲部、２９ｂ…ねじ穴、３０…雄ねじ、３１…電池収納部、１００…非常灯組み込み形照明器具。
【図１】
0006794615.tif 000002
【図２】
0006794615.tif 000003
【図３】
0006794615.tif 000004
【図４】
0006794615.tif 000005
【図５】
0006794615.tif 000006
【図６】
0006794615.tif 000007
【図７】
0006794615.tif 000008
【図８】
0006794615.tif 000009
【図９】
0006794615.tif 000010
【図１０】
0006794615.tif 000011
【図１１】
0006794615.tif 000012